(57)【特許請求の範囲】
【請求項１】
入力装置と、当該入力装置から送信される入力情報を受信する入力情報受信装置と、を有する情報入力システムであって、
前記入力情報受信装置は、
前記入力装置の認証キーを記憶する認証キー記憶手段と、
前記入力装置から送信されたＢｌｕｅｔｏｏｔｈ（登録商標）接続処理におけるペアリング要求を受信して、当該ペアリング要求に含まれる前記入力装置の識別情報に対応付けて前記認証キー記憶手段に記憶している認証キーを前記入力装置へ送信する認証キー送信手段と、
前記入力情報受信装置から前記入力装置へ送信した認証キーと予め前記入力装置の記憶する認証キーとの前記入力装置による一致判定に基づいて認証成功または認証未成功を示す情報を前記入力装置より受信して、当該認証成功または認証未成功を示す情報により認証判定を行う認証判定手段と、
前記認証判定の結果が認証成功を示す場合には、通信ネットワークを介して接続された他の全ての入力情報受信装置へ、前記認証成功とその認証成功した入力装置の識別情報とを示す認証成功通知を送信する認証成功通知手段と、
前記入力装置の識別情報と、前記認証結果が認証成功か認証未成功かのいずれかを示す認証結果情報と、認証を行った入力情報受信装置の識別情報と、を対応付けて記憶する認証結果情報記憶手段と、
自装置における前記認証結果が認証成功である場合には、その認証を行った前記入力装置の識別情報に対応付けられて前記認証結果情報記憶手段が記憶する情報を、認証成功を示す認証結果情報と、自装置の識別情報とを対応付けた情報の対応関係へ書き換え、前記他の入力情報受信装置から認証成功通知を受けた場合には、当該認証成功通知で特定される入力装置の識別情報に対応付けられて前記認証結果情報記憶手段が記憶する情報を、認証成功を示す認証結果情報と、前記他の入力情報受信装置の識別情報とを対応付けた情報の対応関係へ書き換える認証結果情報書換手段と、
前記認証結果情報記憶手段において認証成功を示す情報に対応付けられて記録されている識別情報の入力装置のみからの入力情報を処理する入力情報処理手段と、
を備えることを特徴とする情報入力システム。
【請求項２】
前記入力装置はデジタルペンであり、
当該デジタルペンが、前記ペアリング要求を送信するペアリング要求送信手段と、
入力情報を前記入力情報受信装置へ送信する入力情報送信手段と、
を備えることを特徴とする請求項１に記載の情報入力システム。
【請求項３】
入力装置と、当該入力装置から送信される入力情報を受信する入力情報受信装置と、を有する情報入力システムにおける情報処理方法であって、
前記入力情報受信装置の認証キー記憶手段が、前記入力装置の認証キーを記憶し、
前記入力情報受信装置の認証キー送信手段が、前記入力装置から送信されたＢｌｕｅｔｏｏｔｈ（登録商標）接続処理におけるペアリング要求を受信して、当該ペアリング要求に含まれる前記入力装置の識別情報に対応付けて前記認証キー記憶手段に記憶している認証キーを前記入力装置へ送信し、
前記入力情報受信装置の認証判定手段が、前記入力情報受信装置から前記入力装置へ送信した認証キーと予め前記入力装置の記憶する認証キーとの前記入力装置による一致判定に基づいて認証成功または認証未成功を示す情報を前記入力装置より受信して、当該認証成功または認証未成功を示す情報により認証判定を行い、
前記入力情報受信装置の認証成功通知手段が、前記認証判定の結果が認証成功を示す場合には、通信ネットワークを介して接続された他の全ての入力情報受信装置へ、前記認証成功とその認証成功した入力装置の識別情報とを示す認証成功通知を送信し、
前記入力情報受信装置の認証結果情報記憶手段が、前記入力装置の識別情報と、前記認証結果が認証成功か認証未成功かのいずれかを示す認証結果情報と、認証を行った入力情報受信装置の識別情報と、を対応付けて記憶し、
前記入力情報受信装置の認証結果情報書換手段が、自装置における前記認証結果が認証成功である場合には、その認証を行った前記入力装置の識別情報に対応付けられて前記認証結果情報記憶手段が記憶する情報を、認証成功を示す認証結果情報と、自装置の識別情報とを対応付けた情報の対応関係へ書き換え、前記他の入力情報受信装置から認証成功通知を受けた場合には、当該認証成功通知で特定される入力装置の識別情報に対応付けられて前記認証結果情報記憶手段が記憶する情報を、認証成功を示す認証結果情報と、前記他の入力情報受信装置の識別情報とを対応付けた情報の対応関係へ書き換え、
前記入力情報受信装置の入力情報処理手段が、前記認証結果情報記憶手段において認証成功を示す情報に対応付けられて記録されている識別情報の入力装置のみからの入力情報を処理する
ことを特徴とする情報処理方法。
【請求項４】
入力装置と、当該入力装置から送信される入力情報を受信する入力情報受信装置と、を有し、前記入力装置の認証キーを記憶する認証キー記憶手段を備えた情報入力システムにおける前記入力情報受信装置のコンピュータを、
前記入力装置から送信されたＢｌｕｅｔｏｏｔｈ（登録商標）接続処理におけるペアリング要求を受信して、当該ペアリング要求に含まれる前記入力装置の識別情報に対応付けて前記認証キー記憶手段に記憶している認証キーを前記入力装置へ送信する認証キー送信手段、
前記入力情報受信装置から前記入力装置へ送信した認証キーと予め前記入力装置の記憶する認証キーとの前記入力装置による一致判定に基づいて認証成功または認証未成功を示す情報を前記入力装置より受信して、当該認証成功または認証未成功を示す情報により認証判定を行う認証判定手段、
前記認証判定の結果が認証成功を示す場合には、通信ネットワークを介して接続された他の全ての入力情報受信装置へ、前記認証成功とその認証成功した入力装置の識別情報とを示す認証成功通知を送信する認証成功通知手段、
前記入力装置の識別情報と、前記認証結果が認証成功か認証未成功かのいずれかを示す認証結果情報と、認証を行った入力情報受信装置の識別情報と、を認証結果情報記憶手段へ対応付けて記録する認証結果情報記録手段、
自装置における前記認証結果が認証成功である場合には、その認証を行った前記入力装置の識別情報に対応付けられて前記認証結果情報記憶手段が記憶する情報を、認証成功を示す認証結果情報と、自装置の識別情報とを対応付けた情報の対応関係へ書き換え、前記他の入力情報受信装置から認証成功通知を受けた場合には、当該認証成功通知で特定される入力装置の識別情報に対応付けられて前記認証結果情報記憶手段が記憶する情報を、認証成功を示す認証結果情報と、前記他の入力情報受信装置の識別情報とを対応付けた情報の対応関係へ書き換える認証結果情報書換手段、
前記認証結果情報記憶手段において認証成功を示す情報に対応付けられて記録されている識別情報の入力装置のみからの入力情報を処理する入力情報処理手段、
として機能させるためのプログラム。
【発明の詳細な説明】
【技術分野】
【０００１】
本発明は、入力装置と、当該入力装置から送信される入力情報を受信する入力情報受信装置とを有する情報入力システムおよびその処理方法、プログラムに関する。
【背景技術】
【０００２】
従来、文字情報の入力装置としてデジタルペン（電子ペン）が利用されている。そしてこのデジタルペンと、当該デジタルペンから送信される文字情報を処理する装置に関する技術が特許文献１に開示されている。
【特許文献１】特開２００４−２６５２７２号公報
【発明の開示】
【発明が解決しようとする課題】
【０００３】
上述のデジタルペンは、入力情報を利用して処理するサーバ、または当該サーバに情報を中継するための中継装置、との間で通信を行うためのBluetooth（登録商標）などの通信手段を備えており、この通信手段がサーバや中継装置と通信可能な距離にあれば、サーバは、デジタルペンから送信された文字情報を利用して処理を行うことが可能となる。
【０００４】
ところで、Bluetooth（登録商標）の技術を利用した無線通信では、情報を送受信する装置間において、認証を行い、それら認証を行った装置間でのみしか情報が送受できないよう制御する仕組みを有しており、これをペアリングと呼ぶ。しかしながらユーザがデジタルペンを携帯しながら移動して、デジタルペンから入力した情報をサーバへ送るためには、移動先においてデジタルペンと通信する中継装置（アクセスポイントなど）が必要であり、そして、その中継装置との間でデジタルペンをペアリングさせるために移動先の中継装置に対して逐一、設定情報を入力する必要があり利便性が悪かった。
【０００５】
そこでこの発明は、デジタルペンなどの入力装置の利便性を高めることのできる情報入力システムおよびその処理方法、プログラムを提供することを目的としている。
【課題を解決するための手段】
【０００６】
上記目的を達成するために、本発明は、入力装置と、当該入力装置から送信される入力情報を受信する入力情報受信装置と、を有する情報入力システムであって、前記入力情報受信装置は、前記入力装置の認証キーを記憶する認証キー記憶手段と、前記入力装置から送信されたＢｌｕｅｔｏｏｔｈ（登録商標）接続処理におけるペアリング要求を受信して、当該ペアリング要求に含まれる前記入力装置の識別情報に対応付けて前記認証キー記憶手段に記憶している認証キーを前記入力装置へ送信する認証キー送信手段と、前記入力情報受信装置から前記入力装置へ送信した認証キーと予め前記入力装置の記憶する認証キーとの前記入力装置による一致判定に基づいて認証成功または認証未成功を示す情報を前記入力装置より受信して、当該認証成功または認証未成功を示す情報により認証判定を行う認証判定手段と、前記認証判定の結果が認証成功を示す場合には、通信ネットワークを介して接続された他の全ての入力情報受信装置へ、前記認証成功とその認証成功した入力装置の識別情報とを示す認証成功通知を送信する認証成功通知手段と、前記入力装置の識別情報と、前記認証結果が認証成功か認証未成功かのいずれかを示す認証結果情報と、認証を行った入力情報受信装置の識別情報と、を対応付けて記憶する認証結果情報記憶手段と、自装置における前記認証結果が認証成功である場合には、その認証を行った前記入力装置の識別情報に対応付けられて前記認証結果情報記憶手段が記憶する情報を、認証成功を示す認証結果情報と、自装置の識別情報とを対応付けた情報の対応関係へ書き換え、前記他の入力情報受信装置から認証成功通知を受けた場合には、当該認証成功通知で特定される入力装置の識別情報に対応付けられて前記認証結果情報記憶手段が記憶する情報を、認証成功を示す認証結果情報と、前記他の入力情報受信装置の識別情報とを対応付けた情報の対応関係へ書き換える認証結果情報書換手段と、前記認証結果情報記憶手段において認証成功を示す情報に対応付けられて記録されている識別情報の入力装置のみからの入力情報を処理する入力情報処理手段と、を備えることを特徴とする情報入力システムである。
【０００７】
また本発明は、上述の情報入力システムにおいて、前記入力装置はデジタルペンであり、当該デジタルペンが、前記ペアリング要求を送信するペアリング要求送信手段と、入力情報を前記入力情報受信装置へ送信する入力情報送信手段と、を備えることを特徴とする。
【０００８】
また本発明は、入力装置と、当該入力装置から送信される入力情報を受信する入力情報受信装置と、を有する情報入力システムにおける情報処理方法であって、前記入力情報受信装置の認証キー記憶手段が、前記入力装置の認証キーを記憶し、前記入力情報受信装置の認証キー送信手段が、前記入力装置から送信されたＢｌｕｅｔｏｏｔｈ（登録商標）接続処理におけるペアリング要求を受信して、当該ペアリング要求に含まれる前記入力装置の識別情報に対応付けて前記認証キー記憶手段に記憶している認証キーを前記入力装置へ送信し、前記入力情報受信装置の認証判定手段が、前記入力情報受信装置から前記入力装置へ送信した認証キーと予め前記入力装置の記憶する認証キーとの前記入力装置による一致判定に基づいて認証成功または認証未成功を示す情報を前記入力装置より受信して、当該認証成功または認証未成功を示す情報により認証判定を行い、前記入力情報受信装置の認証成功通知手段が、前記認証判定の結果が認証成功を示す場合には、通信ネットワークを介して接続された他の全ての入力情報受信装置へ、前記認証成功とその認証成功した入力装置の識別情報とを示す認証成功通知を送信し、前記入力情報受信装置の認証結果情報記憶手段が、前記入力装置の識別情報と、前記認証結果が認証成功か認証未成功かのいずれかを示す認証結果情報と、認証を行った入力情報受信装置の識別情報と、を対応付けて記憶し、前記入力情報受信装置の認証結果情報書換手段が、自装置における前記認証結果が認証成功である場合には、その認証を行った前記入力装置の識別情報に対応付けられて前記認証結果情報記憶手段が記憶する情報を、認証成功を示す認証結果情報と、自装置の識別情報とを対応付けた情報の対応関係へ書き換え、前記他の入力情報受信装置から認証成功通知を受けた場合には、当該認証成功通知で特定される入力装置の識別情報に対応付けられて前記認証結果情報記憶手段が記憶する情報を、認証成功を示す認証結果情報と、前記他の入力情報受信装置の識別情報とを対応付けた情報の対応関係へ書き換え、前記入力情報受信装置の入力情報処理手段が、前記認証結果情報記憶手段において認証成功を示す情報に対応付けられて記録されている識別情報の入力装置のみからの入力情報を処理することを特徴とする情報処理方法である。
【０００９】
また本発明は、入力装置と、当該入力装置から送信される入力情報を受信する入力情報受信装置と、を有し、前記入力装置の認証キーを記憶する認証キー記憶手段を備えた情報入力システムにおける前記入力情報受信装置のコンピュータを、前記入力装置から送信されたＢｌｕｅｔｏｏｔｈ（登録商標）接続処理におけるペアリング要求を受信して、当該ペアリング要求に含まれる前記入力装置の識別情報に対応付けて前記認証キー記憶手段に記憶している認証キーを前記入力装置へ送信する認証キー送信手段、前記入力情報受信装置から前記入力装置へ送信した認証キーと予め前記入力装置の記憶する認証キーとの前記入力装置による一致判定に基づいて認証成功または認証未成功を示す情報を前記入力装置より受信して、当該認証成功または認証未成功を示す情報により認証判定を行う認証判定手段、前記認証判定の結果が認証成功を示す場合には、通信ネットワークを介して接続された他の全ての入力情報受信装置へ、前記認証成功とその認証成功した入力装置の識別情報とを示す認証成功通知を送信する認証成功通知手段、前記入力装置の識別情報と、前記認証結果が認証成功か認証未成功かのいずれかを示す認証結果情報と、認証を行った入力情報受信装置の識別情報と、を認証結果情報記憶手段へ対応付けて記録する認証結果情報記録手段、自装置における前記認証結果が認証成功である場合には、その認証を行った前記入力装置の識別情報に対応付けられて前記認証結果情報記憶手段が記憶する情報を、認証成功を示す認証結果情報と、自装置の識別情報とを対応付けた情報の対応関係へ書き換え、前記他の入力情報受信装置から認証成功通知を受けた場合には、当該認証成功通知で特定される入力装置の識別情報に対応付けられて前記認証結果情報記憶手段が記憶する情報を、認証成功を示す認証結果情報と、前記他の入力情報受信装置の識別情報とを対応付けた情報の対応関係へ書き換える認証結果情報書換手段、前記認証結果情報記憶手段において認証成功を示す情報に対応付けられて記録されている識別情報の入力装置のみからの入力情報を処理する入力情報処理手段、として機能させるためのプログラムである。
【発明の効果】
【００１０】
本発明によれば、ユーザは、デジタルペンを持ち歩いて、移動先のＧＷを介してデジタルペンサーバとアクセスしようとした場合に、デジタルペンのＩＤや認証キーを逐一ＧＷに設定する必要が無く、デジタルペンにペアリング要求の操作を行わせるだけで、入力装置として利用することが可能となるため、作業効率がよくなり、ユーザの利便性を高めることが可能となる。また、ＧＷは複数のデジタルペンからのペアリング要求の受信やペアリング処理を行なうことと、デジタルペンからの入力情報をデジタルペンサーバへ転送することが同時に行えるため、複数のデジタルペンを同時に利用することが可能となる。
【発明を実施するための最良の形態】
【００１１】
以下、本発明の一実施形態による情報入力システムを図面を参照して説明する。
図１は同実施形態による情報入力システムの構成を示すブロック図である。
この図において、符号１はユーザの手の動きによるペン先の軌跡の情報を入力情報として送信するデジタルペン（入力装置）、２はデジタルペン１からの入力情報を受信してデジタルペンサーバ３へ転送するデジタルペンゲートウェイ（入力情報受信装置）である。またデジタルペンサーバ３はデジタルペンゲートウェイ２（以下、ＧＷ２とする）から受信した入力情報を用いてユーザがデジタルペンを利用して書いた軌跡を解析し、当該解析した結果の文字情報のモニタへの出力や図形のモニタへの出力などを行う。そして、デジタルペン１はＧＷ２と無線通信により接続されており、またＧＷ２は有線の通信ネットワークを介してデジタルペンサーバ３と接続されている。ここで、本情報入力システムにおける通信接続の形態では、デジタルペン１はＧＷ２との間でBluetooth（登録商標）の技術を利用するものとする。
【００１２】
図２はデジタルペンとＧＷの機能ブロック図である。
図２で示すように、デジタルペン１は、ＧＷ２を介してデジタルペンサーバ３へ送信するための、ユーザの筆跡等を示す情報となる入力情報を生成する入力情報生成部１１、ＧＷ２とBluetooth（登録商標）により入力情報を送信する通信処理部１２、ユーザの操作に基づいてデジタルペン１の通信接続するＧＷ２を切り替える際に、その接続切替要求の情報をＧＷ２へ送信する接続先切替部１３、デジタルペン２のＩＤ等を記憶する記憶部１４を備えている。
【００１３】
また、ＧＷ２は、デジタルペン１との間のBluetooth（登録商標）による通信処理を行う通信処理部２１、ＧＷ２内の各処理部を制御する制御部２２、受信した入力情報等をデジタルペンサーバ３へ転送するデータ転送処理部２３、デジタルペン１との間のBluetooth（登録商標）におけるペアリングの処理を行うペアリング処理部２４、各種情報を記憶するデータベース２５を備えている。
【００１４】
そして、本実施形態による情報入力システムでは、ＧＷ２が、デジタルペン１の認証キーを記憶しており、デジタルペン１に認証キーを送信してデジタルペン１が、自身の記憶部１４内にある認証キーと照合することで認証を行う。そして、認証の結果が認証成功を示す場合には、通信ネットワークを介して接続された他の全てのＧＷ２へ、認証成功とその認証成功したデジタルペン１のＩＤと認証に成功したＧＷ２のＩＰアドレスと認証された経路を表すアダプタＩＤ（ＧＷ２のアダプタＩＤ）を示す認証成功通知を送信する。ここでＧＷ２は、予め、デジタルペン１のＩＤと、認証に成功したＧＷ２のＩＰアドレスと、認証された経路を表すアダプタＩＤと、認証結果が認証成功か認証未成功かのいずれかを示す認証結果情報とを対応付けた認証結果テーブルを記憶しており、自装置内における認証結果が認証成功である場合には、その認証を行ったデジタルペン１のＩＤに対応付けられて成功結果テーブルが記憶する認証結果情報を認証成功を示す情報へ書き換え、他のＧＷ２から認証成功通知を受けた場合には、当該認証成功通知で特定されるデジタルペン１のＩＤに対応付けられて認証結果テーブルが記憶する認証結果情報を認証に成功したＧＷ２のＩＰアドレスと認証された経路を表すアダプタＩＤと認証成功を表す認証結果を示す情報へ書き換える。そして、ＧＷ２は、認証結果テーブルにおいて認証成功を示す情報に対応付けられて記録されているＩＤを持つ、デジタルペン１のみからの入力情報の処理（デジタルペンサーバ３への転送処理等）を行う。
【００１５】
図３はＧＷの記憶する認証結果テーブルを示す図である。
この図が示すように、認証結果テーブルは、デジタルペン１の識別情報であるペンＩＤ、デジタルペン１の認証に利用する認証キー、そのデジタルペン１が通信接続可能となっているＧＷ２のＩＰアドレス、そのＧＷ２が認証した通信経路を示すアダプタＩＤが対応付けられて記録されており、またそれら対応付けられているデジタルペン１とＧＷ２のペアリングの認証結果が認証成功か認証未成功かを示す識別子『１；認証成功』，『０；認証未成功』の情報が記録されたものである。なお、認証結果テーブルには、本情報入力システムで利用できる全てのデジタルペン１とＧＷ２の組合せによるペンＩＤ，認証キー，ＩＰアドレス，アダプタＩＤが予め記録されており、またＧＷ２における認証が成功する前は全て『０；認証未成功』として登録されている。この認証結果テーブルのデータ入力は管理者によって行われたものとする。また、この認証結果テーブルに記録されている認証キーはデジタルペン１の記憶部１４にも記録されており、またペンＩＤはデジタルペン１の通信処理部１２がＲＯＭ（Read Only Memory）等のメモリ内に記憶して情報送信時に当該情報に付与する。
【００１６】
図４は情報入力システムの処理フローを示す図である。
次に図４を用いて情報入力システムの処理について説明する。
なお、以下の説明においてはデジタルペン１から直接ペアリング要求を受信するＧＷをＧＷ２ａ、それ以外の他のＧＷをＧＷ２ｂとして説明する。
まず、デジタルペン１を利用するユーザは、デジタルペン１がＧＷ２ａと通信できるよう操作することが必要となる。ここで、デジタルペン１を操作することにより、接続先切替部１３がペアリング要求を送信するよう通信処理部１２に通知し、通信処理部１２がペアリング要求をＧＷ２ａへ送信する（ステップＳ１０１）。ペアリング要求には、デジタルペン１が記憶するペンＩＤが格納されている。なおペアリングとは、Bluetooth（登録商標）の技術を利用して無線通信する装置間で行う処理であり、それら装置間において認証を行い、認証を行った装置間でのみしか情報が送受できないよう制御する仕組みである。
【００１７】
ＧＷ２ａは、ペアリング要求を受信すると、通信処理部２１が当該ペアリング要求に格納されているペンＩＤをペアリング処理部２４へ通知する。そしてペアリング処理部２４は、ペアリング要求の情報からデジタルペン１のペンＩＤを取得し、そのペンＩＤに対応付けられて認証結果テーブルに記録されている認証キーを取得し、デジタルペン１へ送信する。すると、デジタルペン１の接続先切替部１３が、受信した認証キーと、自身が予め記憶する認証キーとが一致するか否かを判定し、一致する場合には、認証成功をＧＷ２ａへ送信する。また一致しない場合には、認証未成功をＧＷ２へ送信する。そして、ＧＷ２ａのペアリング処理部２４は、認証成功の情報を受信したか否かによって認証判定を行い（ステップＳ１０２）、認証成功の情報を受信した場合には、通信処理部２１がデジタルペン１へ、ペアリング成功を示す情報を送信する（ステップＳ１０３）。またペアリング処理部２４は、認証未成功を受信した場合には、通信処理部２１がデジタルペン１へ、ペアリング未成功を示す情報を送信して終了する（ステップＳ１０４）。また、通信処理部２１は、ペアリング状態を変更するようペアリング処理部２４に通知する。すると、ペアリング処理部２４は、認証成功と判定した場合には、認証結果テーブルのペンＩＤと認証キーの組合せに対応付けて記録されている認証結果の情報を、自装置のＩＰアドレス、自装置のアダプタＩＤ、『１；認証成功』の対応関係へと書き換える（ステップＳ１０５）。
【００１８】
次に、ＧＷ２ａのペアリング処理部２４は、認証成功したデジタルペン１のペンＩＤと自装置（ＧＷ２ａ）のＩＰアドレスと、自装置が認証した通信経路であることを示すアダプタＩＤ（自装置のアダプタＩＤ）とペアリングの認証結果である『１；認証成功』の情報を示すペアリング状態変更通知を、認証結果テーブルに記録されている他の全てのＧＷ２ｂのＩＰアドレス宛に送信する（ステップＳ１０６）。つまりこのペアリング状態変更通知は、どのデジタルペン１と、どのＧＷ２が、どういう通信経路の、ペアリングに成功したかを示す情報である。そして、ペアリング状態変更通知を受信した他のＧＷ２ｂのペアリング処理部２４は、ペアリング状態変更通知に格納されているペンＩＤに対応付けられて認証結果テーブルに記録されている認証結果の情報を、受信したＧＷ２ａのＩＰアドレスとアダプタＩＤと『１；認証成功』の情報の対応関係へと書き換える（ステップＳ１０７）。これにより、例えば、ペンＩＤとＧＷ２ｂのアダプタＩＤに対応付けられていた認証結果の情報が、元々『１；認証成功』であり、その情報を『０；認証未成功』へと書き換えた場合には、ＧＷ２ｂにおいてデジタルペン１との通信が不可能となる。
【００１９】
そして、ペアリング要求を送信したデジタルペン１は、ＧＷ２ａを介してデジタルペンサーバ３と通信可能となり、文字の軌跡などの入力情報を送信することが可能となる。この処理においては、ＧＷ２ａのデータ転送処理部２３が、デジタルペン１から送信された入力情報に格納されているペンＩＤを読み取り、当該ペンＩＤに対応付けられて認証結果テーブルに記録されている認証結果の情報が『０；認証未成功』か『１；認証成功』か、を判定する。そして、『１；認証成功』である場合には、データ転送処理部２３はデジタルペン１より受信した入力情報をデジタルペンサーバ３へ転送する。
【００２０】
なお、上述の処理においては、デジタルペン１を操作してペアリング要求をＧＷ２ａへ送信するようにしているが、ＧＷ２ａに何らかの操作ができる機能を備え、この機能を作動させることにより、ＧＷ２ａからデジタルペン１に対してペアリング要求を送信するようにしてもよい。この場合デジタルペン１がＧＷ２からペアリング要求を受信すると、その結果として、デジタルペン１がペンＩＤと認証キーとを格納した認証要求をＧＷ２へ送信し、上記の認証処理が開始される。ＧＷ２ａがデジタルペン１にペンＩＤと認証キーとを格納した認証要求を送信し、上記の認証処理が開始される。
【００２１】
上述の情報入力システムによれば、ユーザは、デジタルペンを持ち歩いて、移動先のＧＷ２ａを介してデジタルペンサーバ１とアクセスしようとした場合に、デジタルペンのＩＤや認証キーを逐一ＧＷ２ａに設定する必要が無く、デジタルペンにペアリング要求の操作を行わせるだけで、入力装置として利用することが可能となるため、作業効率がよくなり、ユーザの利便性を高めることが可能となる。また、ＧＷ２は複数のデジタルペン１からのペアリング要求の受信やペアリング処理を同時に行って、またデジタルペン１からの入力情報のデジタルペンサーバ３へ転送も同時に行うことができるため、複数台のデジタルペン１を同時に利用することが可能となる。
【００２２】
なお、上述のデジタルペンやＧＷ，デジタルペンサーバは、内部にコンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２３】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２４】
【図１】情報入力システムの構成を示すブロック図である。
【図２】情報入力システムの構成を示すブロック図である。
【図３】ＧＷの記憶する認証結果テーブルを示す図である。
【図４】情報入力システムの処理フローを示す図である。
【符号の説明】
【００２５】
１・・・デジタルペン
２・・・デジタルペンゲートウェイ（ＧＷ）
３・・・デジタルペンサーバ
【図１】
0005087422.tif 000002
【図２】
0005087422.tif 000003
【図３】
0005087422.tif 000004
【図４】
0005087422.tif 000005